(57)【要約】      （修正有）【課題】絶縁ハウジング、絶縁又は導電ランプソケット、及び感電防止手段を備えた安全ランプホルダの提供。【解決手段】電気接触器２０３，２０４の少なくとも一方の一端部に位置する１つの接点が、弾性的に移動可能であるとともに、それに対応した電気コネクタ２０７，２０８と直接的に電気接続されない、２つの電気接触器２０３，２０４と、感電防止手段の底部の中央部分内に固定されたばね部材と、ばね部材を巻装した下部分、電気接触器２０３，２０４の少なくとも一方が位置する水平面を越えて突出する上部分、及び電気接触器２０３，２０４の一方と滑り接触している少なくとも１つの側面を有する少なくとも１つの突出部分を有するスイッチング部材２０９とを備え、電気接触器２０３，２０４、電気コネクタ２０７，２０８及びスイッチング部材２０９は、仕切り部材２０６，２０５，２１５を使用することによって間隔を置いて感電防止手段内に配置される。【選択図】図１
2007194215.tif 000002
【特許請求の範囲】
【請求項１】
絶縁性のハウジングと、前記ハウジングの一端部内に設けられた絶縁又は導電ランプソケットと、前記ハウジングの他端部内に完全に一体化された感電防止手段と、を備えた安全ランプホルダであって、
前記感電防止手段は、
電源に電気的に結合された２つの電気コネクタと、
前記ランプソケットに係合しているランプ本体と直接接触する２つの電気接触器であって、これらの電気接触器の一端部に位置する１つの接点の少なくとも一方が弾性的に移動可能であるとともに、対応する前記電気コネクタと直接的に電気接続されないように構成された２つの電気接触器と、
感電防止手段の底部の中央部分内に固定されたばね部材と、
ばね部材を巻装した下部分と、電気接触器の少なくとも一方が位置する水平面を越えて突出する上部分と、電気接触器の少なくとも一方と滑り接触している側面を有する少なくとも１つの突出部分と、を有するスイッチング部材と、を備え、
前記電気接触器、電気コネクタ及びスイッチング部材は、仕切り部材を使用することによって間隔を置いて感電防止手段内に配置されることを特徴とする安全ランプホルダ。
【請求項２】
前記スイッチング部材は、前記ランプソケットに係合可能な前記ランプ本体によって押圧され、それにより、前記電気接触器の少なくとも一方を前記スイッチング部材の突出部分の側面によって摺動可能に押して、前記電気接触器の少なくとも一方の接点が電気コネクタと電気的に接触した状態になるようにしたことを特徴とする請求項１に記載の安全ランプホルダ。
【請求項３】
前記ランプ本体を前記ランプソケットから取り外すと、前記スイッチング部材は前記ばね部材の作用によってリセットされ、前記電気接触器は自身の弾性の作用によって前記電気コネクタから離反されることを特徴とする請求項１に記載の安全ランプホルダ。
【請求項４】
前記電気接触器の接点を有する端部は、感電防止手段内に斜めに延出していることを特徴とする請求項１に記載の安全ランプホルダ。
【請求項５】
前記感電防止手段内において、前記電気接触器の一方が任意選択で前記電気コネクタの一方と直接電気接続するようになしたことを特徴とする請求項１に記載の安全ランプホルダ。
【請求項６】
前記感電防止手段内において、前記電気接触器の接点を有する端部は任意選択で電気コネクタの一方と直接電機接続するようになしたことを特徴とする請求項５に記載の安全ランプホルダ。
【請求項７】
前記電気接触器の一方が前記スイッチング部材と摺動可能に接触していることを特徴とする請求項５又は６に記載の安全ランプホルダ。
【請求項８】
前記スイッチング部材は極を有し、該極は１つ又は複数のピンポイント部分を備える上部分と、２つの突出部分であって、前記２つの突出部分の各々が、極の各側から側方に延出し且つ少なくとも１つの側面を有し、該側面は、前記電気接触器と摺動可能に接触していることを特徴とする請求項１に記載の安全ランプホルダ。
【請求項９】
前記スイッチング部材は、その全体が絶縁材料から形成されることを特徴とする請求項１に記載の安全ランプホルダ。
【請求項１０】
前記スイッチング部材は、その全体又は一部分が導電材料から形成されることを特徴とする請求項１に記載の安全ランプホルダ。
【請求項１１】
前記スイッチング部材は、前記ランプ本体と直接接触している電気接触器として使用されることを特徴とする請求項１０に記載の安全ランプホルダ。
【請求項１２】
前記スイッチング部材の前記ランプ本体と直接接触している端部は、弾性的に移動可能であるとともに、それに対応する前記電気コネクタと直接的に電気接続されないことを特徴とする請求項１１に記載の安全ランプホルダ。
【請求項１３】
前記電気接触器は、弾性及び導電特性を有する材料で形成されることを特徴とする請求項１に記載の安全ランプホルダ。
【請求項１４】
前記電気接触器は、良好な弾性特性を有する材料、及び良好な導電特性を有する材料で形成されることを特徴とする請求項１に記載の安全ランプホルダ。
【請求項１５】
前記仕切り部材は、前記電気接触器及び電気コネクタの仕切り及び固定を行う第１仕切り部分と、電気接触器及びスイッチング部材の仕切り及び固定を行う第２仕切り部分と、を備えることを特徴とする請求項１に記載の安全ランプホルダ。
【請求項１６】
前記仕切り部材は、前記電気接触器及び電気コネクタの仕切り及び固定を行う第３仕切り部分をさらに備えることを特徴とする請求項１５に記載の安全ランプホルダ。
【請求項１７】
前記第２仕切り部分は、前記第３仕切り部分と一体状に形成されることを特徴とする請求項１６に記載の安全ランプホルダ。
【請求項１８】
前記電気接触器はばね片であることを特徴とする請求項１に記載の安全ランプホルダ。
【請求項１９】
前記ばね部材は、ばね又は他のたわみ部品と、ばね又はたわみ部品を支持するための保持部材とを備えることを特徴とする請求項１に記載の安全ランプホルダ。
【請求項２０】
前記スイッチング部材は、前記感電防止手段の前記仕切り部材によって画定された区画室内に前記ばね部材を使用することによって移動可能に取り付けられることを特徴とする請求項１に記載の安全ランプホルダ。
【請求項２１】
前記スイッチング部材は、前記感電防止手段の前記第１及び第２仕切り部分によって画定された区画室内に前記ばね部材を使用することによって移動可能に取り付けられることを特徴とする請求項１５に記載の安全ランプホルダ。
【請求項２２】
ランプ本体の交換中、又はランプホルダの使用中の感電事故を回避する方法であって、
前記ランプホルダ用の絶縁性のハウジングを設けるステップと、
前記ランプ本体を取り付けるために前記ハウジングの一端部内に絶縁又は導電ランプソケットを設けるステップと、
前記ハウジングの他端部内に感電防止手段を、該感電防止手段をその端部と完全に一体化して設けるステップであって、前記感電防止手段は、
電源に電気的に結合された２つの電気コネクタと、
前記ランプソケットに係合している前記ランプ本体と直接接触する２つの電気接触器であって、これらの電気接触器の一端部に位置する１つの接点の少なくとも一方が、弾性的に移動可能であるとともに、対応する前記電気コネクタと直接的に電気接続されない、２つの電気接触器と、
前記感電防止手段の底部の中央部分内に固定されたばね部材と、
前記ばね部材を巻装した下部分と、前記電気接触器の少なくとも一方が位置する水平面を越えて突出する上部分と、前記電気接触器の少なくとも一方と滑り接触している側面を有する少なくとも１つの突出部分を有するスイッチング部材と、を備える前記感電防止手段を設けるステップと、
前記電気接触器、電気コネクタ及びスイッチング部材を、仕切り部材を使用することによって間隔を置いて前記感電防止手段内に配置するステップであって、前記ランプホルダが電気接続されたとき、前記ランプホルダ内のすべての接触可能な部品が必ず通電状態にあるわけではない、電気接触器、電気コネクタ及びスイッチング部材を配置するステップと、
を含むことを特徴とするランプホルダの使用中の感電事故を回避する方法。
【請求項２３】
請求項１〜２１のいずれか１項に記載のランプホルダが使用されることを特徴とする請求項２２に記載のランプホルダの使用中の感電事故を回避する方法。
【発明の詳細な説明】
【技術分野】
【０００１】
本発明は、照明ランプに使用される安全ランプホルダ、特に照明ランプ用に一般的に使用されているランプホルダに代わることができる、感電防止手段を備える安全ランプホルダに、またランプホルダによって引き起こされる感電事故を回避する方法に関する。
【背景技術】
【０００２】
ランプホルダは広く一般に使用されており、一般的に差し込み式及びねじ式を有し、差し込み式ランプホルダは差し込み式電球に対応し、ねじ式ランプホルダはねじ式電球に対応する。電球がランプホルダ内に固定されていないで、電源スイッチが接続状態のままであるとき、金属部分が導通状態にあるそのようなランプホルダを使用すると、ランプホルダは、直径が比較的大きいため、それに手や指が接触可能であり、結果的に感電事故が発生するという潜在的な危険が存在する。
【０００３】
下記特許文献１に開示された発明は、ねじ式及び差し込み式の両方の電球用の両用安全口金であって、正及び負導電片の下方に可動ロッドを備えるとともに、正極接点及び差し込み式負極接点の上方に絶縁ワッシャを備える両用安全口金を提供している。下記特許文献２に開示された発明は、ねじ式及び差し込み式電球用の二目的感電防止ランプ口金であって、口金から延びた導電ロッドと拡散ばねとの間に絶縁ワッシャを備え、それにより、導電ロッドが正及び負の導電片と直接接触状態にないようにした二目的感電防止ランプ口金を提供している。ねじ式及び差し込み式電球用の別の両用安全口金は下記特許文献３の記載から既知であり、口金の差し込みスロットが改良されており、その差し込みスロットは、差し込みトランク内を摺動することができる矩形スライダとして形成され、また側方スロットを有し、それにより、差し込み式電球の使用時に、電球が口金内に固定的に挿入されるようになっている。これらのランプ口金では、電球がこれらのランプ口金内に固定されていないとき、接点が導通状態にないことから、安全の目的を達成しているように見える。しかしながら、未だ感電事故が発生する危険がある。弾性金属部品又は可動導電ロッドに手又は指が触れることによって発生する圧力が非常に高く、金属部品又は可動導電ロッドを下方に移動させ、それによってオン状態に切り換わるとき、事故が発生するであろう。
【０００４】
本出願人が出願した国際出願第ＰＣＴ／ＣＮ２００３／０００５４６号に開示された発明は、感電事故を回避するための一種の安全ランプホルダであって、ねじ式又は差し込み式ソケット、定着板、導電片、丸形端部を備える電気接触軸、ピンポイント極、及びばねスイッチ又はたわみ部材を有する安全ランプホルダに関する。ピンポイント極は、ランプホルダの中心位置決めベース内に固定されており、ばねスイッチ又はたわみ部材によってピンポイント極が上下に移動し、それにより、ランプ回路のオン／オフ状態が生じる。電球をランプホルダ内に固定すると、電球がピンポイント極を、ばねがピンポイントと接触するまで下降させて、ランプ回路が導通してランプが作動する。電球をランプホルダから取り外すと、ピンポイントは、ばねがピンポイントから離れるまで上方へ移動してリセットされて、ランプ回路が切断される。下方へのみ移動することができるピンポイント極に人が触れたとき、ある一定の力がそれに加えられると、人が痛みを感じ、その結果として押すことをやめ、それによって事故を回避することができる。当然ながら、この種類の安全ランプホルダは、構造が複雑であり、またばねスイッチ又はたわみ部材及び他の部品の固定又は保持に多数の金属固定部材が必要である。さらに、ばねがピンポイント極と同一方向に同一距離を移動するので、比較的大きい空間が必要である。その結果、ランプホルダの構造が複雑になるとともに、製造コストが高くなる。また、ランプホルダは寸法が比較的大きく、したがって、通常タイプのランプホルダを固定する位置に固定するのに適さない。安全ランプホルダの固定が面倒であるとともに、安全ランプホルダの製造コストが高いという欠点のため、通常タイプのランプホルダの代わりに広く使用されることは困難である。
【０００５】
【特許文献１】中国特許第ＺＬ９１２１５８６９．７号
【特許文献２】中国特許第ＺＬ９３２２５６６３．５号
【特許文献３】中国特許第ＺＬ９３２２６０３８．１号
【発明の開示】
【発明が解決しようとする課題】
【０００６】
本発明の目的は、構造が簡単であるとともに製造コストが低く、また現在使用されているランプホルダとほぼ同一寸法である安全ランプホルダを提供することにより、上記欠点を克服することである。
【課題を解決するための手段】
【０００７】
本発明によれば、安全ランプホルダは、絶縁ハウジング、前記ハウジングの一端部内に設けられた絶縁又は導電ランプソケット、及び前記ハウジングの他端部内に完全に一体化された感電防止手段を備え、感電防止手段は、電源に電気的に結合された２つの電気コネクタと、前記ランプソケットに係合しているランプ本体と直接接触する２つの電気接触器であって、これらの電気接触器の一端部に位置する１つの接点の少なくとも一方が弾性的に移動可能であるとともに、対応する前記電気コネクタと直接的に電気接続されない、２つの電気接触器と、前記感電防止手段の底部の中央部分内に固定されたばね部材と、前記ばね部材を巻装した下部分、前記電気接触器の少なくとも一方が位置する水平面を越えて突出する上部分、及び前記電気接触器の少なくとも一方と滑り接触している側面を有する少なくとも１つの突出部分を有するスイッチング部材と、を備え、前記電気接触器、電気コネクタ及びスイッチング部材は、仕切り部材を使用することによって間隔を置いて感電防止手段内に配置される。
【０００８】
本発明によれば、スイッチング部材は、ランプソケットに係合可能なランプ本体によって押され、それにより、電気接触器の少なくとも一方をスイッチング部材の突出部分の側面によって摺動可能に押して、電気接触器の接点が電気コネクタと電気的に接触した状態になるようにする。
【０００９】
また、前記ランプ本体を前記ランプソケットから取り外すと、前記スイッチング部材は前記ばね部材の作用によってリセットされ、前記電気接触器はそれ自体の弾性の作用によって前記電気コネクタから切り離される。
【００１０】
本発明の別の態様によれば、ランプ本体の交換中、又はランプホルダの使用中の感電事故を回避する方法であって、
ランプホルダ用の絶縁ハウジングを設けるステップと、
ランプ本体の要求に応えるために、前記ハウジングの一端部内に絶縁又は導電ランプソケットを設けるステップと、
前記ハウジングの他端部内に感電防止手段を、該感電防止手段をその端部と完全に一体化して設けるステップであって、前記感電防止手段は、電源に電気的に結合された２つの電気コネクタと、前記ランプソケットに係合しているランプ本体と直接接触する２つの電気接触器であって、これらの電気接触器の一端部に位置する１つの接点の少なくとも一方が弾性的に移動可能であるとともに、それに対応した電気コネクタと直接的に電気接続されない、２つの電気接触器と、前記感電防止手段の底部の中央部分内に固定されたばね部材と、前記ばね部材を巻装した下部分、前記電気接触器の少なくとも一方が位置する水平面を越えて突出する上部分、及び前記電気接触器の少なくとも一方と滑り接触している側面を有する少なくとも１つの突出部分を有するスイッチング部材とを備える、前記感電防止手段を設けるステップと、
前記電気接触器、電気コネクタ及びスイッチング部材を、仕切り部材を使用することによって間隔を置いて前記感電防止手段内に配置するステップであって、それにより、前記ランプホルダが電気接続されたとき、前記ランプホルダ内のすべての接触可能な部品が必ず通電状態にあるわけではない、前記電気接触器、電気コネクタ及びスイッチング部材を配置するステップと、
を含む方法が提供される。
【００１１】
本発明の１つの好適な実施形態では、スイッチング部材は、飛行機の断面を有し、１つのピンポイント部分を設けた上部分及び２つの突出部分を有し、突出部分の各々は、極の中間部分の各側から側方に延出しており、さらに、少なくとも１つの側面を有し、該側面は、接触器と摺動可能に接触した状態にあるように構成されている。
【００１２】
本発明は、ランプホルダ内に完全に一体化されることができるとともに、１つ又は複数のピンポイント部分を備えるスイッチング部材を有する簡単な構造の感電防止手段を特徴とする。この感電防止手段は、ランプ本体をランプホルダから取り外したとき、ランプホルダ内の接触可能なすべての部品を中立状態にすることができ、また、ピンポイント極を人が押圧することを防止することができる。そのため、本発明のランプホルダは、感電事故を回避することができる。
【発明を実施するための最良の形態】
【００１３】
本発明をより十分に理解できるように、本発明及びその実施形態の以下の詳細な説明を添付図面と組み合わせて参照する。
【実施例１】
【００１４】
ここで図１及び図２を参照すると、それぞれ本発明の第１及び第２実施形態と合致するねじ式電球に適した安全ランプホルダ及び差し込み式電球に適した安全ランプホルダが設けられている。
【００１５】
これらの実施形態では、安全ランプホルダは、ハウジング２０１と、ハウジング２０１の一端部内に設けられた絶縁又は導電ランプソケット２０２、２１４と、ハウジング２０１の他端部内に完全に一体化された感電防止手段とを備える。ランプホルダは、金属部品をほとんど有しておらず、また、現在市販されているランプホルダとほぼ同じ重量及び寸法のハウジング２０１にすることができる。好ましくは、ハウジング２０１は、たとえば射出成形プロセスによってプラスチック材料などの絶縁材料から一体状に製造される。より好ましくは、ランプソケット２０２、２１４及び感電防止手段をハウジングによって完全に包囲し、それにより、使用の際にハウジング外に露出する通電部品がまったくないようにすることができる。
【００１６】
図１は、ランプソケット２０２が機械的に固定されている状態を示す。ランプソケット２０２は、雌ねじ付きのねじスリーブであって、絶縁又は導電材料で形成されるが、本発明には絶縁材料が好ましい。導電材料を使用する場合、ねじスリーブを、感電防止手段の電気接触器と接触するように形成してもよい。図２は、ランプソケット２１４が絶縁材料製の典型的な差し込みトランクであることを示す。図１及び図２のランプソケット２０２、２１４は、それぞれねじ式電球及び差し込み式電球に適するが、説明のために示されていることを理解されたい。他のタイプの電球の要求に応えるために、本発明の開示に基づいた多くの修正が、当業者の技量の範囲で可能である。
【００１７】
感電防止手段は、ハウジング２０１の一端部内に完全に一体化されており、電源に電気的に結合された２つの電気コネクタ２０７、２０８と、ランプソケットに係合しているランプ本体と直接接触する２つの電気接触器２０３、２０４であって、その各々の一端部には、弾性的に移動可能であるとともに、それに対応する電気コネクタ２０７、２０８と直接的に電気接続されない１つの接点２１１、２１２が設けられている、２つの電気接触器２０３、２０４と、感電防止手段の底部の中央部分内に固定されたばね手段と、ばね部材を巻装した下部分、電気接触器２０３、２０４の少なくとも一方が位置する水平面を越えて突出する上部分、及びそれぞれが対応の電気接触器２０３、２０４と滑り接触している１つの側面を有する２つの突出部分を有する異形スイッチング部材２０９とを備える。図１では、上部分は、電気接触器２０３が位置する水平面を越えて突出している。図２では、上部分は、電気接触器２０３、２０４がそれぞれ位置する水平面を越えて突出している。電気接触器２０３、２０４、電気コネクタ２０７、２０８及びスイッチング部材２０９は、絶縁仕切り部材を使用することによって間隔を置いて感電防止手段内に配置されており、それにより、ランプ本体の着脱に応じて、オン／オフ状態が切り換えられる。
【００１８】
これらの実施形態において、仕切り部材は、第１仕切り部分２０６、第２仕切り部分２０５及び第３仕切り部分２１５を有する。
【００１９】
図１及び図２に示すように、電気コネクタはそれぞれ、第１金属導電片２０７及び第２金属導電片２０８であって、電源に電気的に結合されるように、第２仕切り部分２０５及び第３仕切り部分２１５を使用することによって感電防止手段内に固定されている。電気接触器はそれぞれ、第１金属ばね片２０３及び第２金属ばね片２０４であって、第１仕切り部分２０６及び第２仕切り部分２０５を使用することによって感電防止手段内に固定されている。電気接触器及び電気コネクタは、電気接続を生じるか、断路されるであろう。
【００２０】
これらの実施形態では、接点２１１、２１２を有する各々の電気接触器２０３、２０４の端部が、感電防止手段内を斜めに延び、それにより、電気接触器２０３、２０４がスイッチング部材２０９と同一の、又は異なる移動距離を有するようにしている。これにより、特定用途向きにランプホルダの寸法を調節する便利さが得られる。電気接触器２０３、２０４は、スイッチング部材２０９の移動及びリセット動作に応答する弾性及び導電特性を有する金属材料などの材料で形成されるであろう。代替として、電気接触器は、良好な弾性特性を有する材料と、良好な導電特性を有する材料とで形成されてもよい。図１及び図２において、電気接触器２０３、２０４の各々が、良好な弾性を有する導電片及び良好な導電性を有する導電片によって構成され、それらの導電片が互いに当接状態に配置されているところを示す。２つの導電片は、良好な導電性を有する一方の導電片を使用してランプ本体及び電気コネクタを電気的に接続し、また良好な弾性を有する他方の導電片を使用して電気接触器に弾性特性を与えるように配置されている。電気接触器２０３、２０４は、弾性及び導電性の両方の特性を有する単一材料で形成されてもよいことを理解されたい。
【００２１】
電気接触器２０３、２０４の一端部の隆起部分を接点２１１、２１２として使用してもよい。代替として、溶接又は接着剤によって電気接触器２０３、２０４の一端部に取り付けられた金属部材又は弱磁性導電部材を接点２１１、２１２として使用してもよい。弱磁性導電部材を使用する場合、同一磁性を有する磁気部材を電気コネクタ２０７、２０８上に配置し、それにより、磁気反発を利用して電気接触器２０３、２０４を電気コネクタ２０７、２０８から離れた状態に保持できるようにする。
【００２２】
第３仕切り部分２１５及び／又は第２仕切り部分２０５は、感電防止手段と一体状に形成されてもよく、それにより、ランプホルダの部品数が減少する。図１及び図２において、第１、第２及び第３仕切り部分２０６、２０５、２１５は、スイッチング部材２０９及びばね部材を内部に配置する区画室を画定している。電気接触器２０３、２０４を仕切ることができる以外に、第１仕切り部分２０６は穴を有し、それにより、スイッチング部材２０９の、１つのピンポイント部分を有する上部分が第１仕切り部分２０６から外に突出し、それにより、上部分はその長手方向に変位可能である。スイッチング部材２０９がその横方向に移動するのを防止するために、穴の直径は、スイッチング部材２０９の本体直径よりわずかに大きいだけである。
【００２３】
スイッチング部材は異形部材であって、上部分に１つのピンポイント部分を設けた極を有する。これらの実施形態では、上部分は円錐形である。また、上部分は、複数の円錐を有する半球形でもよい。スイッチング部材はさらに、極の各側面から側方に延出した２つの突出部分を有する。突出部分は、電気接触器２０３、２０４の、接点を有する端部が延出する方向に平行である１つの側面を有し、それにより、この側面全体と電気接触器２０３、２０４とを接触させることができる。側面は、電気接触器２０３、２０４の、接点を有する端部が延出する方向に平行でなくてもよく、この場合、側面が電気接触器２０３、２０４と摺動可能に部分的に接触することを理解されたい。スイッチング部材２０９はまた、第１仕切り部分２０６に平行な２つの水平面を有し、それにより、スイッチング部材２０９のロック及び制限移動のために、スイッチング部材２０９をリセットして第１仕切り部分２０６に当接させることができる。すなわち、スイッチング部材２０９は、ばね部材の作用によって第１仕切り部分２０６に当接する位置へ上昇することができる。これにより、スイッチング部材２０９をその長手方向にのみ移動可能にして、横方向の移動又は保持部材２１３からの落下を確実に阻止することができる。
【００２４】
スイッチング部材２０９は、断面がほぼ飛行機形又は十字形である。側方に延出した突出部分は、断面がほぼ矩形又は円形又は多角形であり、電気接触器と接触している側面は好ましくは、電気接触器にほぼ平行であり、それにより、その間にできる限り大きい接触面を生じることができる。
【００２５】
ばね部材は、ばね２１０と、ばね２１０を支持するための保持部材２１３とを備える。好ましくは、人がランプホルダに触れるときに発生する圧力に打ち勝つために、本発明では弾性が相当に強いばねが使用される。ばねの代わりに他のたわみ部材を使用してもよい。保持部材２１３は、ランプホルダと一体化されてもよい。図１及び図２に示すように、保持部材２１３には、ばね２１０の固定を容易にするために溝が付けられている。
【００２６】
本発明の実施形態では、ランプ本体をランプソケット２０２に係合させたとき、スイッチング部材がランプ本体によって押され、それにより、スイッチング部材２０９の突出部分の側面を介して電気接触器２０３、２０４を摺動可能に押して、電気接触器２０３、２０４の接点２１１、２１２が電気コネクタ２０７、２０８と電気的に接触した状態になるようにする。ランプ回路が導通して、ランプがうまく作動する。
【００２７】
ランプ本体をランプソケット２０２から取り外すと、スイッチング部材２０９がばね部材の作用によってリセットされ、電気接触器２０３、２０４の接点２１１、２１２が、電気接触器２０３、２０４自体の弾性の作用によって電気コネクタ２０７、２０８から離反し、それにより、電気接触器２０３、２０４は電気コネクタ２０７、２０８から電気的に切り離され、したがって通電しない。その結果、ランプホルダ内の接触可能なすべての部品は中立状態である。さらに、スイッチング部材２０９のピンポイント極は、人がそれを押し下げることを防止する。そのため、本発明は、感電事故を回避することができる。
【００２８】
本発明によれば、感電防止手段内において、電気接触器２０３、２０４の一方が任意選択で電気コネクタ２０７、２０８の一方と直接接触する。同様に、電気接触器２０３、２０４の、接点を有する他方の端部は、任意選択で電気コネクタ２０７、２０８の一方と直接接触する。電源のゼロ線が十分に接地されている場合、弾性的に移動可能であるとともに、対応の電気コネクタ２０７、２０８と直接的に電気接続されない１つの接点２１１、２１２を使用することが、本発明のランプホルダにおいて可能である。
【００２９】
図３及び図４は、それぞれ図１及び図２に示された安全ランプホルダの代表的な変更例を示す。これらの変更例では、電気接触器２０３、２０４の一方だけが、それに対応する電気コネクタ２０７、２０８と直接接触しており、スイッチング部材２０９は、上記実施形態に記載されたものと同様に構成されている。電気接触器２０７、２０８の一方とスイッチング部材との間の接触が存在するという要件が満たされる限り、スイッチング部材を他の形状に修正してもよいことは、当業者には既知である。
【００３０】
スイッチング部材２０９の全体又は一部分を、導電材料を使用して形成してもよい。そのような状況では、スイッチング部材２０９を、ランプ本体と直接接触している電気接触器として使用してもよい。スイッチング部材２０９が導電性である場合、本発明のランプホルダに他の修正を加えてもよい。たとえば、短絡を防止するために、電気接触器２０３、２０４の一方を露出しないように構成するとともに、スイッチング部材２０９が接触する他方の電気接触器の表面を絶縁層で被覆してもよい。また、スイッチング部材２０９が接触する電気接触器２０３、２０４の表面を絶縁弾性材で形成してもよい。これらの変更及び修正はすべて、本発明の範囲に含まれるであろう。
【００３１】
本発明の別の態様は、ランプ本体の交換中、又はランプホルダの使用中の感電事故を回避する方法であって、
ランプホルダ用の絶縁ハウジングを設けるステップと、
ランプ本体の要求に応えるために、ハウジングの一端部内に絶縁又は導電ランプソケットを設けるステップと、
ハウジングの他端部内に感電防止手段を、該感電防止手段をその端部と完全に一体化して設けるステップであって、感電防止手段は、電源に電気的に結合された２つの電気コネクタと、ランプソケットに係合しているランプ本体と直接接触する２つの電気接触器であって、これらの電気接触器の少なくとも一方の一端部に位置する１つの接点が、弾性的に移動可能であるとともに、それに対応した電気コネクタと直接的に電気接続されない、２つの電気接触器と、感電防止手段の底部の中央部分内に固定されたばね部材と、ばね部材を巻装した下部分、電気接触器の少なくとも一方が位置する水平面を越えて突出する上部分、及び電気接触器の一方と滑り接触している少なくとも１つの側面を有する少なくとも１つの突出部分を有するスイッチング部材とを備える、感電防止手段を設けるステップと、
電気接触器、電気コネクタ及びスイッチング部材を、仕切り部材を使用することによって間隔を置いて感電防止手段内に配置するステップであって、それにより、ランプホルダが電気接続されたとき、ランプホルダ内のすべての接触可能な部品が必ず通電状態にあるわけではない、電気接触器、電気コネクタ及びスイッチング部材を配置するステップと、
を含む方法を提供する。
以上に記載した実施形態のランプホルダは、この方法に好適である。
【００３２】
上述したように、本発明の１つの目的は、構造が簡単且つ製造コストが低く、また現在市販されているランプホルダとほぼ同一寸法である安全ランプホルダを提供することである。本発明の方法はまた、ランプホルダの使用中の感電事故を確実に回避できるようにし、それにより、ユーザ、特に電気器具の使用又は電力に関する知識に乏しいユーザの保護を行う。
【００３３】
本発明の多くの他の実施形態も可能であり、また当業者であれば、本発明の開示に従って、且つ本発明の精神及び本質から逸脱しない限り、多くの対応する修正を変更とともに加えることができ、そのような修正及び変更は、本発明の特許請求の範囲に含まれることを理解されたい。
【図面の簡単な説明】
【００３４】
【図１】図１は本発明による第１の好適な実施形態のねじ式電球に適する安全ランプホルダの断面図である。
【図２】図２は本発明による第２の好適な実施形態の差し込み式電球に適する安全ランプホルダの断面図である。
【図３】図３は図１の安全ランプホルダの変形例の断面図である。
【図４】図４は図２の安全ランプホルダの変形例の断面図である。
【符号の説明】
【００３５】
２０１          ハウジング
２０２、２１４  ランプソケット
２０３          電気接触器（第１金属ばね片）
２０４          電気接触器（第２金属ばね片）
２０５          第２仕切り部分
２０６          第１仕切り部分
２０７          電気コネクタ（第１金属導電片）
２０８          電気コネクタ（第２金属導電片）
２０９          スイッチング部材
２１０          ばね
２１１、２１２  接点
２１３          保持部材
２１５          第３仕切り部分
【図１】
2007194215.tif 000003
【図２】
2007194215.tif 000004
【図３】
2007194215.tif 000005
【図４】
2007194215.tif 000006